(57)【要約】【課題】予約している時間帯の予約に対して、途中に利用しない時間帯を設けるために、２つ以上の時間帯の予約に分離修正する場合でも、その操作中に予約継続したい時間帯の予約を他のユーザーに予約されてしまわないための予約情報制御装置、予約情報制御方法、および予約情報制御システムを提供する。【解決手段】設備の予約を行う予約情報制御装置において、予約操作が、予約している時間帯を２つ以上の時間帯の予約に分離修正する予約時間削除指定であって、予約時間削除指定による設備の予約が可能であると判定部で判定された場合には、排他制御部は、予約を行うユーザーとは異なる他のユーザーによって予約している時間帯の予約操作が行われないように、予約している時間帯に対して排他処理を行うとともに、予約情報管理部は、排他処理を行った状態で予約時間削除指定を行う。【選択図】  図２
2013246530.tif 000002
【特許請求の範囲】
【請求項１】
設備を予約する予約操作が入力される画像情報入出力部と、
前記予約操作による前記設備の予約が可能か否かを判定する判定部と、
前記判定部において前記予約が可能であると判定された場合に、前記設備の予約情報を記憶する予約情報記憶部に対して前記予約操作に基づいた前記予約情報の更新を行う予約情報管理部と、
前記予約操作を実施する予約対象において、予約を行うユーザーとは異なる他のユーザーによる前記予約操作が行われないように、前記予約対象に対する予約操作を排他する排他処理を行う排他制御部と、
を有する予約情報制御装置において、
前記予約操作が、予約している時間帯を２つ以上の時間帯の予約に分離修正する予約時間削除指定であって、前記予約時間削除指定による前記設備の予約が可能であると前記判定部で判定された場合には、
前記排他制御部は、予約を行うユーザーとは異なる他のユーザーによって前記予約している時間帯の予約操作が行われないように、前記予約している時間帯に対して排他処理を行うとともに、前記予約情報管理部は、前記排他処理を行った状態で前記予約時間削除指定を行うことを特徴とする予約情報制御装置。
【請求項２】
請求項１に記載の予約情報制御装置において、
前記予約時間削除指定による前記分離修正が終了した場合には、前記排他処理を解除することを特徴とする予約情報制御装置。
【請求項３】
請求項１または２に記載の予約情報制御装置において、
前記予約情報制御装置は、
前記予約情報記憶部から前記設備における現在の予約情報を取得し、現在の予約状況を画面に出力させるとともに、前記予約時間削除指定を行うための画面を表示させるための情報を出力する画面情報入出力部を有することを特徴とする予約情報制御装置。
【請求項４】
請求項１に記載の予約情報制御装置において、
前記予約対象は、前記設備または前記設備において予約される日時の少なくとも１つであることを特徴とする予約情報制御装置。
【請求項５】
請求項１〜４のいずれかに記載の予約情報制御装置と、
前記予約時間削除指定を行うための画面を表示する予約画面表示端末を有することを特徴とする予約情報制御システム。
【請求項６】
請求項１〜５のいずれかに記載の予約情報制御装置と、
認証装置による認証結果に基づいて設備のセキュリティの解除を制御する設備制御装置と、を有することを特徴とする予約情報制御システム。
【請求項７】
設備を予約する予約操作が入力されるステップと、
前記予約操作による前記設備の予約が可能か否かを判定するステップと、
前記予約が可能であると判定された場合に、前記設備の予約情報を記憶する予約情報記憶部に対して前記予約操作に基づいた前記予約情報の更新を行うステップと、
前記予約操作を実施する予約対象において、予約を行うユーザーとは異なる他のユーザーによる前記予約操作が行われないように、前記予約対象に対する予約操作を排他する排他処理を行うステップと、
を有する予約情報制御方法において、
前記予約操作が、予約している時間帯を２つ以上の時間帯の予約に分離修正する予約時間削除指定であって、前記予約時間削除指定による前記設備の予約が可能であると判定された場合には、
予約を行うユーザーとは異なる他のユーザーによって前記予約している時間帯の予約操作が行われないように、前記予約している時間帯に対して排他処理を行うとともに、前記排他処理を行った状態で前記予約時間削除指定を行うステップを有することを特徴とする予約情報制御方法。
【発明の詳細な説明】
【技術分野】
【０００１】
本発明は、予約情報制御装置、予約情報制御システムおよび予約制御方法に関する。
【背景技術】
【０００２】
従来、設備を利用する利用者が設備の予約を行う場合には、設備の予約画面を表示する予約画面表示端末等を利用して、対象の設備の利用権を確保するということが行われている。予約画面表示端末が複数ある場合には、複数の予約画面表示端末のユーザーが同時に予約操作を実施することがあり、同じ利用時間帯に複数のユーザーが予約操作を行い、同じ利用時間帯に複数の予約がなされてしまうことがあった。そのため、多くの予約情報制御装置では、ユーザーが予約操作を行っている場合には、予約操作を実施する対象の設備やその設備の時間帯に対して、他のユーザーによる予約制御が行われないようにする排他制御を行われている。例えば、特許文献１に記載されたリソース予約排他処理システムにおいては、複数ユーザーが同時に会議室などを新規に予約する予約操作を実施しようとした場合、排他対象のリソースに時間スロットを設け、時間スロットごとのロック制御を行うことで、予約の重複を防ぐとともに処理効率を向上させている。具体的には、時間スロットに対する複数のユーザーが存在する場合に、時間スロットに対して排他制御を行い、時間スロットにおけるユーザーの予約処理が終了すると排他制御を開放するという構成を採用することによって、使用する時間帯が異なる予約処理の同時実行を可能とし、処理性能を向上させている。
【先行技術文献】
【特許文献】
【０００３】
【特許文献１】特開２００４−３４８２５７号公報
【発明の概要】
【発明が解決しようとする課題】
【０００４】
予約情報制御装置においては、上述のように新規に設備を予約する場合に加え、既に予約している時間帯を延ばしたり縮めたりすることも行われ、その場合には、予約画面で予約している時間帯を修正操作することで対応している。なかでも、予約している時間帯の中に含まれる一部の時間帯を予約取消する場合、すなわち１つの時間帯の予約に対して、途中に利用しない時間帯を設けるために２つ以上の時間帯の予約に分離修正する場合には、予約している時間帯を修正操作により縮めた上で予約継続しておきたかった時間帯の予約を新規で予約操作するか、予約している時間帯を取消操作した上で予約継続しておきたかった２つの時間帯の予約を新規で予約操作を行う必要がある。しかしながら、予約している時間帯を修正操作により縮めたり、予約している時間帯を取消操作した後、予約継続しておきたかった時間帯の予約を新規で予約操作する前に、予約操作を行っているユーザーとは異なる他のユーザーに、いったん取り消したものの予約継続しておきたかった時間帯の予約をされてしまうという問題点があった。
【０００５】
本発明は、前記した問題を解決すべく創案されたものであり、予約している時間帯の予約に対して、途中に利用しない時間帯を設けるために、２つ以上の時間帯の予約に分離修正する場合でも、その操作中に予約継続したい時間帯の予約を他のユーザーに予約されてしまわないための予約情報制御装置、予約情報制御方法、および予約情報制御システムを提供する。
【課題を解決するための手段】
【０００６】
前記課題を解決するために、本発明は、設備を予約する予約操作が入力される画像情報入出力部と、予約操作による前記設備の予約が可能か否かを判定する判定部と、判定部において予約が可能であると判定された場合に、設備の予約情報を記憶する予約情報記憶部に対して予約操作に基づいた予約情報の更新を行う予約情報管理部と、予約操作を実施する予約対象において、予約を行うユーザーとは異なる他のユーザーによる予約操作が行われないように、予約対象に対する予約操作を排他する排他処理を行う排他制御部と、を有する予約情報制御装置において、予約操作が、予約している時間帯を２つ以上の時間帯の予約に分離修正する予約時間削除指定であって、予約時間削除指定による設備の予約が可能であると判定部で判定された場合には、排他制御部は、予約を行うユーザーとは異なる他のユーザーによって予約している時間帯の予約操作が行われないように、予約している時間帯に対して排他処理を行うとともに、予約情報管理部は、排他処理を行った状態で予約時間削除指定を行うことを特徴とする。
【発明の効果】
【０００７】
本発明によれば、１つの時間帯の予約に対して、途中に利用しない時間帯を設けるように２つ以上の時間帯の予約に分離修正する場合でも、その操作中に予約継続したい時間帯の予約を他のユーザーに予約されることのない予約情報制御を行うことができる。
【図面の簡単な説明】
【０００８】
【図１】本発明の実施形態に係る予約情報制御装置を備える予約システムを模式的に示す図である。
【図２】本発明の実施形態に係る予約情報制御装置の構成図を含む予約情報制御システムの構成図である。
【図３】本発明の実施形態に係る予約情報記憶部のデータテーブルである。
【図４】本発明の実施形態に係る予約情報制御装置の動作例を説明するためのフローチャートである。
【図５】本発明の実施形態に係る予約画面表示端末の予約画面例を示す図である。
【図６】本発明の実施形態に係る具体的な予約画面表示端末の操作例を示す図である。
【図７】本発明の実施形態に係る指定時間削除の前後における予約情報記憶部のデータテーブルである。
【発明を実施するための形態】
【０００９】
以下、本発明の実施形態について、適宜図面を参照しながら説明する。同様の部分には同一符号を付し、重複する説明を省略する。
【００１０】
図１は、本発明の実施形態に係る予約システム１は、ネットワークによって接続された、予約画面表示端末１０と、予約情報制御装置２０と、設備制御装置３０によって構成される予約システムを模式的に示したものである。
【００１１】
設備制御装置３０を備える共用部７０は、予約対象である設備６０（６０Ａ，６０Ｂ，６０Ｃ，６０Ｄ）と、設備６０（６０Ａ，６０Ｂ，６０Ｃ，６０Ｄ）の出入口となる扉５０（５０Ａ，５０Ｂ，５０Ｃ，５０Ｄ）と、ユーザーが所有する媒体を認証する認証装置４０（４０Ａ，４０Ｂ，４０Ｃ，４０Ｄ）と、認証装置４０（４０Ａ，４０Ｂ，４０Ｃ，４０Ｄ）による認証結果に基づいて制御可能と判断した場合には、扉５０（５０Ａ，５０Ｂ，５０Ｃ，５０Ｄ）を制御する設備制御装置３０と、を備える。これらの認証装置４０（４０Ａ，４０Ｂ，４０Ｃ，４０Ｄ）や扉５０（５０Ａ，５０Ｂ，５０Ｃ，５０Ｄ）は、設備６０（６０Ａ，６０Ｂ，６０Ｃ，６０Ｄ）の利用を制御する方法を具体化するために挙げた制御対象の一例である。
【００１２】
認証装置４０（４０Ａ，４０Ｂ，４０Ｃ，４０Ｄ）において認証結果に基づいて制御不可能と判断された場合には、扉５０（５０Ａ，５０Ｂ，５０Ｃ，５０Ｄ）を解錠しないことによって設備の利用者の扉の通行を規制しており、認証結果に基づいて制御可能と判断された場合には、設備制御装置３０から出力されたセキュリティ解除信号に基づいて当該扉５０（５０Ａ，５０Ｂ，５０Ｃ，５０Ｄ）に設けられた電気錠を解錠することによって設備の利用者の扉の通行を許容するように構成されている。本発明における設備は、前記した設備６０（６０Ａ，６０Ｂ，６０Ｃ，６０Ｄ）に限定されず、設備の利用者による設備利用を許容したり規制したりすることができるものであればよい。
【００１３】
予約画面表示端末１０は、パソコン、携帯電話、ＰＤＡ等を想定しているが、予約情報制御装置２０が提供する予約画面情報から予約画面を表示するためのＷＥＢブラウザソフトを有しているものであればよい。また、予約画面表示端末１０は、予約情報制御装置２０と予約画面情報や予約画面操作情報を入出力できるアプリケーションを有していれば、ＷＥＢブラウザを搭載していなくてもよい。
【００１４】
図２は、予約情報制御装置２０の構成図を含む予約情報制御システムの構成図である。
【００１５】
予約情報制御装置２０は、ＣＰＵ（Central Processing Unit）、ＲＡＭ（Random Access Memory）、ＲＯＭ（Read-Only Memory）、入出力回路等から構成されており、機能ブロックとして、記憶部２１と、画面情報入出力部２２と、予約情報出力部２３と、予約情報管理部２４と、判定部２５と、排他制御部２６と、を備える。
【００１６】
ここで、記憶部２１は、基本情報記憶部２１ａと、予約情報記憶部２１ｂと、を備えている。基本情報記憶部２１ａは、ユーザーによる予約操作と予約操作に対応付けて付与される予約ＩＤ、設備名称と設備名称に対応付けて付与される設備ＩＤ、ユーザー名称とユーザー名称に対応付けて付与されるユーザーＩＤ、予約状態名称と予約状態名称に対応付けて付与される予約状態ＩＤ、予約操作種別名称と予約操作種別名称に対応付けて付与される予約操作種別ＩＤ、を関連付けて記憶するデータベースである。また、予約操作できる時間帯、設備を利用できる時間帯、設備を予約できる制限回数、などの予約制限情報も記憶するデータベースも有している。
【００１７】
図３は、予約情報記憶部のデータテーブルである。
予約情報記憶部２１ｂは、予約ＩＤと、ユーザーＩＤと、設備ＩＤと、予約した利用開始日時と、予約した利用終了日時と、予約状態ＩＤと、予約情報の更新日時と、を関連付けて予約情報の履歴を記憶するデータベースである。
【００１８】
図２に戻り、予約情報制御装置２０を構成する各入出力部の説明をする。
【００１９】
まず、予約画面表示端末１０に予約画面の表示をさせる場合の各入出力部の説明をする。
【００２０】
予約画面表示端末１０から、予約画面を表示させるための予約画面情報の取得依頼の出力がある場合、画面情報入出力部２２には、取得依頼がネットワーク等を介して入力される。画面情報入出力部２２は、この取得依頼を受けて、予約情報管理部２４へ現在の予約情報の取得を依頼する。この取得依頼には、例えば、予約に関わる設備ＩＤや日時の情報に関するものがあり、これらの情報をパラメータとして予約情報管理部２４に送出し、予約情報の取得を依頼する。
【００２１】
予約情報管理部２４には、画面情報入出力部２２から出力された予約画面情報予約に関わる設備ＩＤや日時の情報が入力され、予約情報記憶部２１ｂよりこれらの情報を取得する。予約情報記憶部２１ｂより得られた情報は、予約情報管理部２４を介して画面情報入出力部２２へ送出する。
【００２２】
画面情報入出力部２２は、取得した予約情報を元に、予約画面表示端末１０へ予約画面情報として送出する。これにより、予約画面表示端末１０では、要求した予約画面を表示することが可能となる。
【００２３】
次に、予約画面表示端末より、設備の予約操作が行われる場合における予約情報制御装置２０の各入出力部の説明を行う。
【００２４】
予約画面表示端末１０から、予約対象である設備６０（６０Ａ，６０Ｂ，６０Ｃ，６０Ｄ）に対して予約を行う予約操作があった場合、画面情報入出力部２２は予約画面表示端末１０より予約操作を受け、予約情報管理部２４に対して操作された予約情報の更新を依頼する。その際、予約操作された予約情報のうち、更新情報に関わる情報をパラメータとして送出して依頼を行う。例えば、設備６０Ａの予約時間を修正した場合には、設備６０Ａの設備ＩＤ、修正後の予約日時、修正を表す予約状態ＩＤの情報がパラメータとして送出されることになる。本発明に係る実施形態では、予約状態ＩＤの１つとして、すでに予約した予約時間帯に対して途中に利用しない時間帯を設けるために、２つ以上の時間帯の予約に分離修正する指定時間削除という操作種別を有していることを特徴としている。
【００２５】
予約情報の更新を依頼された予約情報管理部２４は、更新する予約情報に関わる設備ＩＤ、日時、予約状態ＩＤの情報などを元に、判定部２５に対して、その操作が可能か否かの判定を依頼する。
【００２６】
判定部２５は、更新する予約情報と、基本情報記憶部２１ａから取得した予約制限情報や予約情報記憶部２１ｂから取得した予約情報とを比較することで、予約情報管理部２４から依頼された予約操作が可能か否かの判定を行う。判定結果は予約情報管理部２４へ送出する。
【００２７】
判定部２５における判定結果が予約操作不可であった場合には、判定結果を予約情報管理部２４に出力し、予約情報管理部２４は画面情報入出力部２２に対して操作不可の情報を送出する。
【００２８】
一方、判定部２５における判定結果が、予約操作可であった場合には、予約操作を実施する対象の設備および日時において、他のユーザーによる予約操作が行われないようにする排他制御を行うために、排他制御部２６に対して排他制御を依頼する。排他制御は、操作を行うユーザーと異なるユーザーによって、ユーザーが予約する予約対象に予約操作が行われないようにするものである。排他制御を行うユーザーとしては、グループ化したユーザーであって、おなじグループに所属するユーザー以外のユーザーに対して行うようにし、同じグループに所属するユーザーに対しては、排他制御を行わず予約操作を許可するようにしてもよい。
【００２９】
排他制御を依頼された排他制御部２６は、予約情報管理部２４から依頼された予約対象である設備および設備において予約されている日時に関して排他制御を実施する。そして、排他制御が実施できたか否かの結果を予約情報管理部２４へ送出する。
【００３０】
予約操作を実施する対象の設備およびその日時が、排他制御部２６より排他制御不可との応答があった場合、その応答を受ける予約情報管理部２４は、画面情報入出力部２２に対して排他制御不可であることを送出する。
【００３１】
一方、予約操作を実施する対象の設備および日時が、排他制御部２６より排他制御可との応答があった場合には、予約情報管理部２４はその応答を受け、予約情報記憶部２１ｂに対して該当の予約情報の更新を依頼する。
【００３２】
この予約情報の更新には、上述のような単純な新規予約・修正・削除のほかに、本発明に係る実施形態の１つである、指定時間削除操作による予約情報の更新も含まれる。指定時間削除操作が行われた場合には、上記と同様に、予約情報管理部２４は、判定部２５に対して、その操作が可能か否かの判定を依頼する。
【００３３】
判定結果が入力された予約情報管理部２４は、判定部２５における判定結果が、予約操作不可であった場合には、画面情報入出力部２２に対して操作不可の情報を送出する。
【００３４】
一方、判定部２５における判定結果が、予約操作可であった場合、予約操作を実施する対象の設備および日時において、他のユーザーの予約操作が行われないようにする排他制御を行うために、排他制御部２６に対して排他制御を依頼する。このとき、予約操作が指定時間削除操作である場合には、すでに予約されている時間帯に対して排他処理が行われ、排他処理の状態を保持したまま指定時間の削除を行う。このような構成を採用することにより、以前予約した時間帯であって、かつ、予約変更後も予約状態を維持しておきたい時間帯に対する、他のユーザーによる予約操作を行うことを防ぐことができる。すなわち、従来であれば、予約している時間帯を修正操作により縮めた上で予約継続しておきたかった時間帯を新規予約するか、または、予約している時間帯を取消操作した上で予約継続しておきたかった２つの時間帯の予約を新規予約することによって、取り消してから新規予約をするまでに他のユーザーに予約継続しておきたかった時間帯の予約をされてしまうという不都合が生じていたが、この不都合を防ぐことができる。
【００３５】
そして、予約操作を実施する対象の設備および日時が、排他制御部２６より排他制御が行われた場合には、予約情報管理部２４はその応答を受け、予約操作に基づいて予約情報記憶部２１ｂに対して該当の予約情報の更新を依頼する。
【００３６】
予約情報記憶部２１ｂに対して予約情報の更新に成功した場合、予約情報管理部２４は予約更新に成功した情報を受け取るとともに、画面情報入出力部２２に対して更新成功の情報を送出し、更新結果の予約情報も送出する。このようにして画面情報入出力部２２が送出した更新成功の情報や更新結果の予約情報を受けた予約画面表示端末１０は、予約画面表示端末１０において、更新成功の旨や更新済みの予約情報が表示する。
【００３７】
そして、予約情報の更新が予約情報記憶部２１ｂにおいて完了した場合には、排他制御部２６による排他制御を解除する。
【００３８】
一方、予約情報記憶部２１ｂにおける予約情報の更新に失敗した場合には、予約情報管理部２４は更新失敗の情報を受けるとともに、画面情報入出力部２２に対して操作失敗の情報を送出する。そして、画面情報入出力部２２は、更新に失敗した旨を予約画面情報として予約画面表示端末１０へ送出し、予約画面表示端末１０にはその旨が表示される。
【００３９】
以上のように、予約操作に基づいた予約情報の更新が行われ、特に、予約操作が指定時間削除操作である場合であっても、操作中に他のユーザーに予約をされてしまうことなく適切に予約操作を行うことができる。また、予約情報出力部２３は、予約情報記憶部２１ｂから取得したユーザーＩＤ、設備ＩＤ、利用開始時間、利用終了時間の情報などを、ネットワーク等を介して定期的に設備制御装置３０に対して送出する。設備制御装置３０は、これらの予約情報に基づいて共用部の設備制御を行う。
【００４０】
図４は、本発明の実施形態に係る予約情報制御装置２０の動作例のフローチャートである。予約画面表示端末１０から予約操作を指示されてから予約画面表示端末１０へ操作結果を応答するまでの動作例を中心に説明する。
【００４１】
画面情報入出力部２２は、ユーザーが予約画面表示端末１０で予約操作した際の情報取得待ち状態となる。（ステップＳ１）。
【００４２】
画面情報入出力部２２が予約操作情報を取得しなければ（ステップＳ１のＮｏ）、待ち状態を続ける。
【００４３】
画面情報入出力部２２が予約操作情報を取得すれば（ステップＳ１のＹｅｓ）、予約情報管理部２４へ操作情報を送出し、操作可能か否かを判定部２５へ依頼して判定する（ステップＳ２）。
【００４４】
予約情報管理部２４は、判定部２５の判定結果に基づき、対象の予約操作が操作不可と判断した場合（ステップＳ２のＮｏ）、処理不可の結果を画面情報入出力部２２を介して予約画面表示端末１０へ送出する（ステップＳ５）。
【００４５】
一方、対象の予約操作が処理可と判断した場合（ステップＳ２のＹｅｓ）、該当の予約操作に関する設備および日時が排他制御可能であるか、排他制御部２６へ依頼して判定する（ステップＳ３）。
【００４６】
予約情報管理部２４は、排他制御部２６の判定結果に基づき、対象の予約操作が操作不可と判断した場合（ステップＳ３のＮｏ）、予約操作の操作不可の結果を画面情報入出力部２２経由で予約画面表示端末１０へ送出する（ステップＳ５）。
【００４７】
予約情報管理部２４は、判定部２５の判定結果に基づき、対象の予約操作が可能であると判断した場合（ステップＳ３のＹｅｓ）、排他制御部２６による排他制御を行った状態で、予約操作に基づく予約情報の更新を行う。予約操作が指定時間削除操作である場合には、予約されている予約時間帯に対して排他処理を行い、排他処理を維持したまま予約時間帯を２つ以上の時間帯に分離修正するように予約情報の更新を行う（ステップＳ４）。
【００４８】
その後、画面情報入出力部２２経由で予約情報の更新が行われた旨を表示するために、予約情報更新に関する情報を予約画面表示端末１０へ送出する（ステップＳ５）。
【００４９】
さらに、ステップ５において予約情報の更新が完了した場合には、排他制御を解除する（ステップ６）。
【００５０】
続いて、本発明の実施形態に係るユーザー端末の画面例について説明する。
【００５１】
図５は、本発明の実施形態に係る予約画面表示端末の予約画面例を示す図である。具体的には、ある１つの時間帯を予約した後、予約一覧画面から該当の予約情報を選択して修正や削除を行う指定時間削除操作を行う場合の画面例を示す。
【００５２】
予約画面１１は、予約画面表示端末１０において、画面情報入出力部２２より取得した予約一覧画面から１つの予約情報を選択した場合の画面例である。
【００５３】
選択予約情報表示部１１ａは、予約一覧画面で選択した予約の設備や予約時間帯などの情報を表示する。日時指定部１１ｂでは、選択した予約に対して修正や削除などの操作を行う場合の日時を指定することができる。ただし、操作種別から全削除操作を実行する場合は、日時指定する必要はない。操作種別指定部１１ｃでは、選択予約情報表示部１１ａに表示された予約に対して、日時指定部１１ｂで日時を指定した上で、修正操作、全削除操作、または指定時間削除操作を実行することができる。
【００５４】
修正操作は、選択した予約の時間帯を日時指定した時間帯に修正するための操作である。また、全削除操作は、選択した予約の時間帯を全削除するための操作であり、日時指定部１１ｂで日時を指定する必要はない。さらに、指定時間削除操作は、選択した予約の時間帯の途中に利用しない時間帯を設けるために２つ以上の時間帯の予約に分離修正するに当たって、日時指定した時間帯を削除するための操作である。
【００５５】
予約画面表示端末１０は、予約画面１１において行われた予約操作に基づいて、予約操作情報を画面情報入出力部２２に予約操作に関する情報を送出する。
【００５６】
図６は、本発明の実施形態に係る予約画面表示端末の予約画面例を示す図である。具体的には、指定時間削除操作を行う場合の予約画面表示端末１０の予約画面例である。
【００５７】
予約画面操作例１２に示すように、選択した過去に予約した予約時間帯（２０１１年３月１日１５時００分〜２０１１年３月５日１０時００分）に対して、その時間帯の途中の時間帯（２０１１年３月２日１０時００分〜２０１１年３月４日１５時００分）を日時指定し、操作種別から指定時間削除を実行する。
【００５８】
前記の指定時間削除を実行した際、予約情報制御装置２０においては、予約画面表示端末１０は画面情報入出力部２２に予約操作情報を送出し、さらに予約情報管理部２４へ予約操作情報が送出される。前記予約操作情報は、設備ＩＤ、日時、予約操作種別ＩＤをパラメータとして送出され、判定部２５や排他制御部２６の判定に問題がなければ、予約情報分割例（予約情報記憶部）１３の予約情報（分離修正前）１３ａを予約情報（分離修正後）１３ｂに更新する。このとき、選択した予約の時間帯は、排他制御部２６によって排他制御されているので、前記指定時間削除操作中に予約継続したい時間帯の予約を他のユーザーに予約されることなく、予約情報記憶部２１ｂの予約情報を更新することが可能である。
【００５９】
図７は、本発明の実施形態に係る指定時間削除の前後における予約情報記憶部のデータテーブルである。予約情報分割例（予約情報記憶部）１３に示すように、予約情報（分離修正前）１３ａから日時指定した時間帯の予約を削除し、予約情報（分離修正後）１３ｂに修正される。
【００６０】
以上、本発明の実施形態について説明したが、本発明は前記実施形態に限定されず、本発明の要旨を逸脱しない範囲で適宜設計変更可能である。例えば、本発明の実施形態に係る予約システム１は、設備制御装置３０を含む共用部７０を必ずしも備える必要はない。設備制御装置３０は、予約情報制御装置２０によって管理された予約情報を受信し、その受信情報と認証装置４０（４０Ａ，４０Ｂ，４０Ｃ，４０Ｄ）からの認証情報に基づいて扉５０（５０Ａ，５０Ｂ，５０Ｃ，５０Ｄ）を制御するものであり、設備利用者の認証とその設備利用者の設備に対する予約有無の確認が管理人等によって行われ、設備の利用に認証媒体の認証が必要ないのであれば、設備制御装置３０を含む共用部７０を備える必要はない。なお、前記のユーザーの設備に対する予約有無の確認において、管理人等は予約情報制御装置が提供する画面にて判断することが可能である。
【００６１】
また、予約情報管理部２４が予約情報記憶部２１ｂの予約情報の更新する際、更新する予約情報に関わる情報としては設備ＩＤ、日時、予約操作種別ＩＤだけでなく、予約ＩＤやユーザーＩＤや予約状態ＩＤなどのパラメータを用いて予約操作の操作可能性や予約操作の対象となる予約情報を判別することも考えられる。
【符号の説明】
【００６２】
１  予約システム
１０  予約画面表示端末
１１  予約画面
１１ａ  選択予約情報表示部
１１ｂ  日時指定部
１１ｃ  操作種別指定部
１２  予約画面操作例
１３  予約情報分割例（予約情報記憶部）
１３ａ  予約情報（分離修正前）
１３ｂ  予約情報（分離修正後）
２０  予約情報制御装置
２１  記憶部
２１ａ  基本情報記憶部
２１ｂ  予約情報記憶部
２２  画面情報入出力部
２３  予約情報出力部
２４  予約情報管理部
２５  判定部
２６  排他制御部
３０  設備制御装置
４０，４０Ａ，４０Ｂ，４０Ｃ，４０Ｄ  認証装置
５０，５０Ａ，５０Ｂ，５０Ｃ，５０Ｄ  扉
６０，６０Ａ，６０Ｂ，６０Ｃ，６０Ｄ  設備
７０  共用部
【図１】
2013246530.tif 000003
【図２】
2013246530.tif 000004
【図３】
2013246530.tif 000005
【図４】
2013246530.tif 000006
【図５】
2013246530.tif 000007
【図６】
2013246530.tif 000008
【図７】
2013246530.tif 000009